(57)【要約】【課題】本発明は、同一キャラクタを連続表示する際のメモリ消費電力を低減したキャラクタ表示装置を提供することを目的とする。【解決手段】キャラクタ表示装置は、表示画面上の表示位置ごとに表示文字についてキャラクタアドレスを格納する表示情報メモリと、キャラクタアドレス毎にキャラクタデータを格納するキャラクタメモリと、表示画面の同期信号に同期してキャラクタアドレスを表示情報メモリから順次読み出すメモリ制御回路と、表示情報メモリから順次読み出されるキャラクタアドレスにおいて現在のキャラクタアドレスが直前のキャラクタアドレスと同一でない場合にキャラクタメモリにアクセスして現在のキャラクタアドレスからキャラクタデータを読み出すと共に、現在のキャラクタアドレスが直前のキャラクタアドレスと同一である場合にキャラクタメモリへのアクセスを実行しない制御ユニットを含む。【選択図】　　　　図３
2004085967.tif 000002
【特許請求の範囲】
【請求項１】
表示画面上の表示位置ごとに表示文字についてキャラクタアドレスを格納する表示情報メモリと、
キャラクタアドレス毎にキャラクタデータを格納するキャラクタメモリと、
表示画面の同期信号に同期して該キャラクタアドレスを該表示情報メモリから順次読み出すメモリ制御回路と、
該表示情報メモリから順次読み出される該キャラクタアドレスにおいて現在のキャラクタアドレスが直前のキャラクタアドレスと同一でない場合に該キャラクタメモリにアクセスして該現在のキャラクタアドレスから該キャラクタデータを読み出すと共に、該現在のキャラクタアドレスが該直前のキャラクタアドレスと同一である場合に該キャラクタメモリへのアクセスを実行しない制御ユニット
を含むことを特徴とするキャラクタ表示装置。
【請求項２】
該制御ユニットは、
該直前のキャラクタアドレスを格納するフリップフロップと、
該現在のキャラクタアドレスと該フリップフロップの内容とを比較する比較器と、
該キャラクタメモリをアクセスするアクセスタイミング信号の該キャラクタメモリへの供給及び停止を該比較器の比較結果に応じて切り換える回路
を含むことを特徴とする請求項１記載のキャラクタ表示装置。
【請求項３】
該制御ユニットが該キャラクタメモリをアクセスした場合のみ該キャラクタメモリの出力する該キャラクタデータをラッチして保持するラッチ回路を更に含むことを特徴とする請求項１記載のキャラクタ表示装置、
【請求項４】
該キャラクタメモリは表示動作中に書き込み可能なメモリであることを特徴とする請求項３記載のキャラクタ表示装置。
【請求項５】
該表示情報メモリは該表示文字について該キャラクタアドレスと共にキャラクタアトリビュートを格納し、該メモリ制御回路は該表示情報メモリから該キャラクタアドレスを順次読み出すのと同時に該キャラクタアトリビュートを読み出し、該制御ユニットは該読み出されたキャラクタアトリビュートが所定の文字を示す場合に該キャラクタメモリへのアクセスを実行しないことを特徴とする請求項１又は３に記載のキャラクタ表示装置。
【請求項６】
該制御ユニットは、
該直前のキャラクタアドレスを格納するフリップフロップと、
該現在のキャラクタアドレスと該フリップフロップの内容とを比較する比較器と、
該キャラクタメモリをアクセスするアクセスタイミング信号の該キャラクタメモリへの供給及び停止を該比較器の比較結果と該読み出されたキャラクタアトリビュートとに応じて切り換える回路
を含むことを特徴とする請求項５記載のキャラクタ表示装置。
【請求項７】
該読み出されたキャラクタアトリビュートが該所定の文字を示す場合に該表示画面に表示するキャラクタデータを該所定の文字のキャラクタデータに変更する特殊文字制御ユニットを更に含むことを特徴とする請求項５記載のキャラクタ表示装置。
【請求項８】
該所定の文字は空白文字であり、該特殊文字制御ユニットは該読み出されたキャラクタアトリビュートが該所定の文字を示す場合に該表示画面に表示するキャラクタデータの全てのビットをゼロにするマスク回路を含むことを特徴とする請求項７記載のキャラクタ表示装置。
【発明の詳細な説明】
【０００１】
【発明の属する技術分野】
本発明は、一般に表示画面に情報を表示する表示装置に関し、詳しくは、表示画面に文字情報を表示するキャラクタ表示装置に関する。
【従来の技術】
近年のディスプレイ装置は、大きな画面サイズによってより多くの情報を表示可能とすると共に、高解像度の表示によってより高い画質を提供している。キャラクタ表示装置において、そのような大画面表示及び高解像表示を実現するためには、表示用メモリ領域を増加すると共に動作周波数を高速化する必要がある。これにより消費電力が増大する結果となり、ＬＳＩチップの中心部において電圧低下が生じ誤動作が発生したり、電力消費による発熱が生じたり等の問題が生じる。従って、キャラクタ表示装置において無駄な電力を出来る限り低減する必要がある。
【０００２】
図１は、従来のキャラクタ表示装置の構成の一例を示す図である。
【０００３】
図１のキャラクタ表示装置１０は、表示情報メモリ１１、キャラクタメモリ１２、メモリ制御回路１３、及び表示制御ユニット１４を含む。
【０００４】
表示情報メモリ１１は、表示画面上の２次元位置を示す表示位置アドレス毎に、表示内容を示す情報、即ち表示する文字を特定するコードや文字表示の属性等を格納するメモリである。キャラクタメモリ１２は、表示対象である各キャラクタ表示に用いるデータ、即ち各キャラクタの形状を表現するビットマップデータ等を格納するメモリである。メモリ制御回路１３は、表示情報メモリ１１、キャラクタメモリ１２、及び表示制御ユニット１４を制御する回路である。
【０００５】
図２は、図１のキャラクタ表示装置１０の動作を示すタイミング図である。
【０００６】
メモリ制御回路１３は、表示位置アドレス（図２（ａ））とアクセスタイミング信号（図２（ｂ））とを表示情報メモリ１１に供給する。これにより、指定した表示位置アドレスに表示する文字を特定するコードを、指定したアクセスタイミングで表示情報メモリ１１から読み出す。読み出された文字を特定するコードは、キャラクタメモリ１２にキャラクタアドレス（図２（ｃ））として供給される。このキャラクタアドレスにより、キャラクタメモリ１２内のアドレスを指定することで、キャラクタメモリ１２から表示文字のキャラクタデータ（図２（ｇ））を読み出す。なおキャラクタメモリ１２から表示文字のキャラクタデータを読み出すタイミングは、メモリ制御回路１３からキャラクタメモリ１２に供給されるキャラクタアクセスタイミング（図２（ｅ））により決定される。
【０００７】
また表示情報メモリ１１からは、文字を特定するコードであるキャラクタアドレスが読み出されるのと同時に、文字の色や装飾などの属性を指定するキャラクタアトリビュート（図２（ｄ））が読み出される。このキャラクタアトリビュートとキャラクタデータとが、キャラクタ読み込みタイミング信号（図２（ｈ））によって表示制御ユニット１４に読み込まれる。このキャラクタ読み込みタイミング信号は、メモリ制御回路１３から表示制御ユニット１４に供給される信号である。
【０００８】
表示制御ユニット１４は、読み込んだキャラクタアトリビュートに従って、読み込んだキャラクタデータを加工して、ＣＲＴ、液晶表示装置、プラズマディスプレイ表示装置等の表示装置に供給する。
【発明が解決しようとする課題】
上述のような従来のキャラクタ表示装置においては、同一キャラクタを連続して表示する場合であっても、逐一キャラクタメモリ１２からキャラクタデータを読み出して、表示制御ユニット１４に供給している。例えば、画面上の一部にのみ文字が表示されそれ以外は空白文字である場合においても、従来の制御においては、空白文字が繰り返される回数だけキャラクタメモリ１２から空白キャラクタデータを読み出す動作が行われる。また例えば、表の罫線が画面に表示される場合等には、罫線の長さに相当する文字数だけ罫線文字データを読み出す必要がある。
【０００９】
このように従来技術においては、同一文字を読み出す場合に、同一キャラクタが連続することについて特別な制御をすることなく表示を行っているので、連続する同一データのメモリアクセスを頻繁に繰り返すこととなり、無駄な電力を消費することになる。
【００１０】
以上を鑑みて、本発明は、連続する同一キャラクタを表示する際のメモリアクセス回数を削減することにより消費電力を低減したキャラクタ表示装置を提供することを目的とする。
【課題を解決するための手段】
本発明によるキャラクタ表示装置は、表示画面上の表示位置ごとに表示文字についてキャラクタアドレスを格納する表示情報メモリと、キャラクタアドレス毎にキャラクタデータを格納するキャラクタメモリと、表示画面の同期信号に同期して該キャラクタアドレスを該表示情報メモリから順次読み出すメモリ制御回路と、該表示情報メモリから順次読み出される該キャラクタアドレスにおいて現在のキャラクタアドレスが直前のキャラクタアドレスと同一でない場合に該キャラクタメモリにアクセスして該現在のキャラクタアドレスから該キャラクタデータを読み出すと共に、該現在のキャラクタアドレスが該直前のキャラクタアドレスと同一である場合に該キャラクタメモリへのアクセスを実行しない制御ユニットを含むことを特徴とする。
【００１１】
上記キャラクタ表示装置によれば、同一の文字を連続して表示する場合には、キャラクタメモリを新たにアクセスすることなく、既に出力されている同一のキャラクタデータを繰り返し表示する。これにより、連続する同一キャラクタを表示する際のメモリアクセス回数を削減し、消費電力を低減することが可能となる。
【発明の実施の形態】
以下に、本発明の実施例を添付の図面を用いて詳細に説明する。
【００１２】
図３は、本発明によるキャラクタ表示装置の構成の一例を示す図である。
【００１３】
図３のキャラクタ表示装置２０は、表示情報メモリ２１、キャラクタメモリ２２、メモリ制御回路２３、表示制御ユニット２４、連続状態制御＆特殊文字制御ユニット２５、ラッチ２６、及び特殊文字制御ユニット２７を含む。
【００１４】
表示情報メモリ２１は、表示画面上の２次元位置を示す表示位置アドレス毎に、表示内容を示す情報、即ち表示する文字を特定するコードや文字表示の属性等を格納するメモリである。キャラクタメモリ２２は、表示対象である各キャラクタ表示に用いるデータ、即ち各キャラクタの形状を表現するビットマップデータ等を格納するメモリである。メモリ制御回路２３は、表示情報メモリ２１、キャラクタメモリ２２、及び表示制御ユニット２４を制御する回路である。
【００１５】
連続状態制御＆特殊文字制御ユニット２５は、メモリ制御回路２３とキャラクタメモリ２２との間に設けられ、メモリ制御回路２３によるキャラクタメモリ２２へのアクセスを状況に応じて制限するよう機能する。
【００１６】
具体的には、連続状態制御＆特殊文字制御ユニット２５は、表示情報メモリ２１からキャラクタアドレスを受け取り、メモリ制御回路２３から受け取るキャラクタアドレス比較タイミングが指定するタイミングにおいて、現在のキャラクタアドレスと直前のキャラクタアドレスとを比較する。両キャラクタアドレスが一致しない場合には、メモリ制御回路２３から受け取るキャラクタアクセスタイミング信号を、そのままキャラクタメモリ２２に供給する。両キャラクタアドレスが一致する場合、即ち同一キャラクタを連続して表示する場合には、キャラクタメモリ２２にキャラクタアクセスタイミング信号を供給しない。これにより、同一キャラクタを連続表示する場合には、キャラクタメモリ２２へのアクセスを避けることが可能となる。この場合、直前の表示文字のキャラクタデータがラッチ２６に格納されており、このラッチ２６のキャラクタデータを用いて表示が行われる。
【００１７】
連続状態制御＆特殊文字制御ユニット２５は更に、特殊文字の場合にキャラクタメモリ２２へのアクセスを停止するよう制御する。これは表示情報メモリ２１から供給されるキャラクタアトリビュートに基づいて判断される。キャラクタアトリビュートが所定の特殊文字（例えば空白文字）を示す場合には、連続状態制御＆特殊文字制御ユニット２５は、メモリ制御回路２３から供給されるキャラクタアクセスタイミング信号をキャラクタメモリ２２に供給しない。後述するように、この場合の特殊文字の処理は特殊文字制御ユニット２７により行われる。
【００１８】
図４は、図３のキャラクタ表示装置２０の動作を示すタイミング図である。
【００１９】
メモリ制御回路２３は、表示位置アドレス（図４（ａ））とアクセスタイミング信号（図４（ｂ））とを表示情報メモリ２１に供給する。これにより、指定した表示位置アドレスに表示する文字を特定するキャラクタアドレス（図４（ｃ））を、指定したアクセスタイミングで表示情報メモリ２１から読み出す。表示情報メモリ２１からは更に、文字の色や装飾などの属性を指定するキャラクタアトリビュート（図４（ｄ））が読み出される。キャラクタアドレスにより、キャラクタメモリ２２内のアドレスを指定することで、キャラクタメモリ２２から表示文字のキャラクタデータを読み出す。
【００２０】
キャラクタメモリ２２から表示文字のキャラクタデータを読み出すタイミングは、メモリ制御回路２３から連続状態制御＆特殊文字制御ユニット２５を介してキャラクタメモリ２２に供給されるキャラクタアクセスタイミング（図４（ｅ））により決定される。図４（ｃ）に示される例では、最初の文字のキャラクタアドレスが“１Ａ”であり、これに応じてキャラクタアクセスタイミング信号（図４（ｅ））がキャラクタメモリ２２に供給され、キャラクタデータ“ＣＣ”（図４（ｇ））が読み出される。また２番目の文字のキャラクタアドレスは“０２”であり、これに応じてキャラクタアクセスタイミング信号がキャラクタメモリ２２に供給され、キャラクタデータ“１１”が読み出される。
【００２１】
３番目の文字のキャラクタアドレスは２番目の文字のキャラクタアドレスと同一の“０２”であるので、この場合、キャラクタアクセスタイミング信号はキャラクタメモリ２２に供給されない（図４（ｅ））。図３に示されるラッチ２６に直前のキャラクタデータ“１１”が格納されているので、表示制御ユニット２４に供給されるキャラクタデータは“１１”のままである（図４（ｇ））。
【００２２】
以降、４番目及び５番目の文字のキャラクタアドレスも同一の“０２”であり、キャラクタアクセスタイミング信号はキャラクタメモリ２２に供給されない。この間、ラッチ２６に格納されるキャラクタデータ“１１”が、表示制御ユニット２４に繰り返し供給される（図４（ｇ））。
【００２３】
６番目の文字のキャラクタアドレスは“２１”（図４（ｃ））であり、キャラクタアトリビュートは“Ｃ３”（図４（ｄ））である。このキャラクタアトリビュートは、この例では、連続状態制御＆特殊文字制御ユニット２５が特殊文字と見なす空白文字に相当する。この場合、キャラクタアクセスタイミング信号はキャラクタメモリ２２に供給されない（図４（ｅ））。空白文字のキャラクタアトリビュートを供給される特殊文字制御ユニット２７は、ラッチ２６から供給される文字データをゼロデータに置き換える。これにより、表示制御ユニット２４に供給されるキャラクタデータは、空白を示す“００”となる（図４（ｇ））。
【００２４】
表示制御ユニット２４は、メモリ制御回路２３からのキャラクタ読み込みタイミング信号に応じてキャラクタデータとキャラクタアトリビュートとを読み込んで、キャラクタアトリビュートに応じてキャラクタデータを加工し、ＣＲＴ、液晶表示装置、プラズマディスプレイ表示装置等の表示装置に供給する。
【００２５】
以上のようにして、本発明によるキャラクタ表示装置２０においては、同一の文字を連続して表示する場合には、キャラクタメモリ２２をアクセスすることなく、ラッチ２６に格納されるキャラクタデータを繰り返し表示する。これにより、連続する同一キャラクタを表示する際のメモリアクセス回数を削減し、消費電力を低減することが可能となる。また更に本発明によるキャラクタ表示装置２０においては、例えば空白文字などの所定の特殊文字の場合には、キャラクタメモリ２２をアクセスすることなく、特殊文字制御ユニット２７で特殊文字を生成する。これにより、空白や罫線文字等の特殊文字を表示する際のメモリアクセス回数を削減し、消費電力を低減することが可能となる。
【００２６】
図３に示される本発明のキャラクタ表示装置２０においては、様々な変形をなすことができる。例えば、同一文字の連続表示という観点からはラッチ２６は必ずしも必要ではなく、新規アクセスが無い場合にキャラクタメモリ２２の出力が変化しないとすれば、キャラクタメモリ２２の出力を特殊文字制御ユニット２７に直接入力する構成としてよい。また特殊文字の場合にキャラクタメモリ２２をアクセスしないような制御が不要である場合には、特殊文字制御ユニット２７を削除してよい。なおラッチ２６は、後述するように、キャラクタメモリ２２に書き込みがあった場合等にキャラクタメモリ２２へのアクセス無しでキャラクタ表示を可能にするために使用することが出来る。
【００２７】
図５は、本発明によるキャラクタ表示装置２０の画面表示の一例を示す図である。
【００２８】
キャラクタ表示装置２０は、例えばテレビジョンセットやディスプレイ装置等において画面調整等の種々の設定を行うときに使用することが出来る。図５は、設定メニュー画面を示し、例えば画面調整の項目を指定することで色や明るさ等を調整する画面に移行することが出来る。図５に示されるような画面では、ＣＲＴ表示領域３１内に、例えば４５桁×１６行のキャラクタ表示領域３２が設定され、このキャラクタ表示領域３２内にキャラクタ表示装置２０が文字を表示する。例えば、キャラクタ表示装置２０は、表示罫線枠３３を表示すると共にその枠内に表示文字３４を表示する。
【００２９】
図５に示される例では、表示罫線枠３３外部は同一の空白文字が連続して表示される領域である。従って本発明によるキャラクタ表示装置２０においては、このような連続した同一文字の表示領域ではキャラクタメモリをアクセスすることなく、消費電力を削減することが出来る。また表示罫線枠３３の横線も、同一の罫線文字が連続する部分であり、消費電力を削減することが出来る。また前述のように、同一文字が連続しない場合であっても空白文字のような所定の特殊文字を表示する場合には、キャラクタメモリをアクセスすることなく、消費電力を削減することが出来る。
【００３０】
図６は、連続状態制御＆特殊文字制御ユニット２５の構成の一例を示す回路図である。図７は、図６に示す連続状態制御＆特殊文字制御ユニット２５の各信号のタイミングを示すタイミング図である。
【００３１】
図６の連続状態制御＆特殊文字制御ユニット２５は、フリップフロップ４１及び４２、比較器４３、及び一部負論理入力のＡＮＤ回路４４を含む。フリップフロップ４１は、キャラクタアドレス（図７（ａ））をキャラクタアクセスタイミング信号（図７（ｂ））に同期してラッチする。比較器４３は、現在供給されるキャラクタアドレスとフリップフロップ４１に格納されるキャラクタアドレスとを比較して、両方の文字が一致する場合にＨＩＧＨ信号を出力する。フリップフロップ４２は、比較器４３の出力を、キャラクタアドレス比較タイミング信号（図７（ｃ））に同期してラッチする。このフリップフロップ４２が格納するデータが、現在の表示文字と直前の表示文字とが同一か否かを示す比較結果（図７（ｄ））となる。
【００３２】
ＡＮＤ回路４４は、キャラクタアトリビュートの複数ビットのうちで例えば空白文字であるか否かを示すビット（図７（ｅ））の負論理を第１の入力として受け取り、またフリップフロップ４２の出力（図７（ｄ））の負論理を第２の入力として受け取り、更にメモリ制御回路２３からのキャラクタアクセスタイミング（図７（ｂ））を第３の入力として受け取る。従って、表示文字が空白文字以外であり第１の入力がＨＩＧＨとなり、且つ表示文字が直前の文字と異なるために第２の入力がＨＩＧＨとなる場合に限り、キャラクタアクセスタイミングがＡＮＤ回路４４を通過して、連続状態制御＆特殊文字制御ユニット２５から出力されることになる（図７（ｆ））。表示文字が空白文字である場合、或いは表示文字が直前の文字と同一である場合には、ＡＮＤ回路４４の出力はＬＯＷとなり、キャラクタメモリ２２がアクセスされることは無い。
【００３３】
図８は、特殊文字制御ユニット２７の構成の一例を示す図である。
【００３４】
図８に示されるように、特殊文字制御ユニット２７は、一方が負論理入力のＡＮＤ回路５１を含む。図８はキャラクタデータの１ビットに対する構成のみを示すが、例えばキャラクタデータが１走査ラインに対して８ビットある場合には、図８のＡＮＤ回路５１が８ビット分設けられることになる。
【００３５】
ＡＮＤ回路５１の負論理入力端には、キャラクタアトリビュートの複数ビットのうちで空白文字であるか否かを示すビットが入力される。またＡＮＤ回路５１のもう一端には、キャラクタデータの１ビットが供給される。表示対象文字が空白文字である場合には、ＡＮＤ回路５１の負論理入力側の論理がネゲートとなり、ＡＮＤ回路５１の出力はＬＯＷとなる。同様にしてキャラクタデータの全てのビットに対して出力データがＬＯＷ（ゼロ）となり、空白キャラクタデータを生成出力することになる。
【００３６】
図９は、キャラクタメモリ２２への書き込みがあった場合のラッチ２６の働きを説明するためのタイミング図である。
【００３７】
キャラクタメモリ２２はＲＯＭ（Ｒｅａｄ　Ｏｎｌｙ　Ｍｅｍｏｒｙ）を使用してよいが、ＲＡＭ（Ｒａｎｄｏｍ　Ａｃｃｅｓｓ　Ｍｅｍｏｒｙ）を使用して、ユーザによる書き込みを可能とする構成としてよい。そのような構成とした場合、キャラクタ表示装置２０によるキャラクタ表示中に、キャラクタメモリ２２の内容が書き換えられる可能性がある。
【００３８】
図９（ａ）に示されるキャラクタアドレスは、キャラクタメモリ２２への入力アドレスである。第１番目のキャラクタアドレスは“１Ａ”であり、第２番目乃至第５番目のキャラクタアドレスは“０２”であり、同一の文字を連続表示する動作となっている。従ってこの場合、キャラクタアクセスタイミング信号（図９（ｂ））が連続状態制御＆特殊文字制御ユニット２５に入力されても、連続表示区間では新規キャラクタアクセスタイミング（図９（ｃ））は出力されない。
【００３９】
このような連続表示状態において、「書き込みタイミング発生」として示されるタイミングで、外部からキャラクタメモリ２２のキャラクタアドレス“４１”への書き込みが行われる。この時、キャラクタメモリ２２へ供給されるキャラクタ書き込みタイミング信号（図９（ｄ））が示すタイミングにおいて、キャラクタデータを書き込むために、キャラクタメモリ２２の入出力キャラクタデータ（図９（ｅ））が書き込みアドレスのデータとなる。
【００４０】
図３に示されるようにラッチ２６を設けてキャラクタメモリ２２の出力するキャラクタデータを連続状態制御＆特殊文字制御ユニット２５からのキャラクタアクセスタイミングでラッチする構成とすれば、図９（ｅ）に示されるように仮にキャラクタメモリ２２のデータが変化したとしても、図９（ｆ）に示されるように連続表示の間はラッチ２６のデータは保持され続ける。従って、連続表示の期間には、仮にデータ書き込みが発生したとしても、正常な文字表示を行うことが出来る。また連続表示が終了した後でも、図９に示されるように、続いて表示する文字が所定の特殊文字（この例では空白文字）である場合には、特殊文字制御ユニット２７の処理により指定された特殊文字を表示することが出来る。
【００４１】
以上、本発明を実施例に基づいて説明したが、本発明は上記実施例に限定されるものではなく、特許請求の範囲に記載の範囲内で様々な変形が可能である。
【発明の効果】
本発明によるキャラクタ表示装置は、表示情報メモリから順次読み出されるキャラクタアドレスにおいて、現在のキャラクタアドレスが直前のキャラクタアドレスと同一でない場合には、キャラクタメモリにアクセスして現在のキャラクタアドレスからキャラクタデータを読み出す。しかし現在のキャラクタアドレスが直前のキャラクタアドレスと同一である場合には、キャラクタメモリへのアクセスを実行しない。
【００４２】
上記キャラクタ表示装置によれば、同一の文字を連続して表示する場合には、キャラクタメモリを新たにアクセスすることなく、既に出力されている同一のキャラクタデータを繰り返し表示する。これにより、連続する同一キャラクタを表示する際のメモリアクセス回数を削減し、消費電力を低減することが可能となる。
【図面の簡単な説明】
【図１】従来のキャラクタ表示装置の構成の一例を示す図である。
【図２】図１のキャラクタ表示装置の動作を示すタイミング図である。
【図３】本発明によるキャラクタ表示装置の構成の一例を示す図である。
【図４】図３のキャラクタ表示装置の動作を示すタイミング図である。
【図５】本発明によるキャラクタ表示装置の画面表示の一例を示す図である。
【図６】連続状態制御＆特殊文字制御ユニットの構成の一例を示す回路図である。
【図７】連続状態制御＆特殊文字制御ユニットの各信号のタイミングを示すタイミング図である。
【図８】特殊文字制御ユニットの構成の一例を示す図である。
【図９】キャラクタメモリへの書き込みがあった場合のラッチの働きを説明するためのタイミング図である。
【符号の説明】
２０　キャラクタ表示装置
２１　表示情報メモリ
２２　キャラクタメモリ
２３　メモリ制御回路
２４　表示制御ユニット
２５　連続状態制御＆特殊文字制御ユニット
２６　ラッチ
２７　特殊文字制御ユニット
【図１】
2004085967.tif 000003
【図２】
2004085967.tif 000004
【図３】
2004085967.tif 000005
【図４】
2004085967.tif 000006
【図５】
2004085967.tif 000007
【図６】
2004085967.tif 000008
【図７】
2004085967.tif 000009
【図８】
2004085967.tif 000010
【図９】
2004085967.tif 000011